(57)【要約】【課題】表示パネルの前側の周縁部に当接している弾性部材が保持枠の内側へ移動することを防止し、表示品位の低下を回避することができる表示パネルの保持構造を提供する。【解決手段】前側に表示面１ａを有する表示パネル１の後側を支持する枠体２と、表示パネル１の前側の周縁部を弾性部材４を介して枠体２に押し付けて保持する保持枠３とを備え、保持枠３に、枠内周側への弾性部材４の移動を防止するために、保持枠３の内周側端縁から表示パネル１側へ突出するように屈曲させた屈曲部（凸部）３１ａを設けている。【選択図】図１
2011002708.tif 000002
【特許請求の範囲】
【請求項１】
前側に表示面を有する表示パネルの後側を支持する支持部と、前記表示パネルの前側の周縁部を弾性部材を介して該支持部に押し付けて保持する保持枠とを備えた表示パネルの保持構造において、
前記保持枠は、枠内周側への前記弾性部材の移動を防止する移動防止部を有していることを特徴とする表示パネルの保持構造。
【請求項２】
前記移動防止部は、前記保持枠の内周側端縁から前記表示パネル側へ突出した凸部であることを特徴とする請求項１に記載の表示パネルの保持構造。
【請求項３】
前記凸部は、前記保持枠の周方向に離間して複数形成してあることを特徴とする請求項２に記載の表示パネルの保持構造。
【請求項４】
前記移動防止部は、前記弾性部材と当接する部分に設けた凹凸模様であることを特徴とする請求項１に記載の表示パネルの保持構造。
【請求項５】
前記移動防止部は、前記弾性部材と当接する部分に周方向に離間して設けた複数の凸部又は凹部であることを特徴とする請求項１に記載の表示パネルの保持構造。
【請求項６】
前記移動防止部は、前記弾性部材を収容することが可能な凹溝であることを特徴とする請求項１に記載の表示パネルの保持構造。
【発明の詳細な説明】
【技術分野】
【０００１】
本発明は、表示パネルの損傷及び塵埃等の侵入を防止するための表示パネルの保持構造に関する。
【背景技術】
【０００２】
液晶ディスプレイ、プラズマディスプレイ等の表示装置では、装置の組み立て時に表示パネルに衝撃が加わらないようにし、また表示パネルの周縁部側への塵埃等の侵入を防止するために、前側に表示面を有する表示パネルの後側を支持する支持部と、前側の周縁部を弾性部材（スペーサー）を介して後側の支持部に押し付けて保持する保持枠とを備えた表示パネルの保持構造が公知である（例えば特許文献１参照）。ここで弾性部材はゴム等の弾性材料で構成され、プラスチック等の成型品である保持枠の内面に接着材によって接着されている。
【先行技術文献】
【特許文献】
【０００３】
【特許文献１】特開２００５−２０２０３６号公報
【発明の概要】
【発明が解決しようとする課題】
【０００４】
従来の表示パネルの保持構造では、保持枠の熱膨張率と弾性部材の熱膨張率とが異なるため、電源オン時の高温条件と電源オフ時の低温条件との繰り返しによって保持枠と弾性部材とが相対移動し、弾性部材を保持枠に接着している接着材がせん断応力を受けて劣化する場合がある。その結果、弾性部材が保持枠から剥がれて保持枠の内周側へ移動し、内周縁端から内側にはみ出して表示品位が低下する不都合があった。
【０００５】
本発明は、上述したような事情に鑑みてなされたものであり、表示パネルの前側の周縁部に当接している弾性部材が保持枠の内側へ移動することを防止し、表示品位の低下を回避することができる表示パネルの保持構造を提供することを目的とする。
【課題を解決するための手段】
【０００６】
本発明に係る表示パネルの保持構造は、前側に表示面を有する表示パネルの後側を支持する支持部と、前記表示パネルの前側の周縁部を弾性部材を介して該支持部に押し付けて保持する保持枠とを備えた表示パネルの保持構造において、前記保持枠は、枠内周側への前記弾性部材の移動を防止する移動防止部を有していることを特徴とする。
本発明によれば、前側に表示面を有する表示パネルの後側を支持部で支持し、表示パネルの前側の周縁部を保持枠が弾性部材を介して支持部に押し付けて保持する場合に、保持枠が有する移動防止部によって弾性部材の保持枠の内周側への移動が防止される。
【０００７】
本発明に係る表示パネルの保持構造は、前記移動防止部は、前記保持枠の内周側端縁から前記表示パネル側へ突出した凸部であることを特徴とする。
本発明によれば、弾性部材が保持枠の内周側へ移動しようした場合に保持枠の内周側端縁から表示パネル側へ突出した凸部に当接し、保持枠の内周側への移動が阻止される。
【０００８】
本発明に係る表示パネルの保持構造は、前記凸部は、前記保持枠の周方向に離間して複数形成してあることを特徴とする。
本発明によれば、凸部は保持枠の周方向に離間して複数形成してあるので、保持枠の全周に形成する場合よりも軽量化できる。
【０００９】
本発明に係る表示パネルの保持構造は、前記移動防止部は、前記弾性部材と当接する部分に設けた凹凸模様であることを特徴とする。
本発明によれば、弾性部材と当接する保持枠の部分に設けた凹凸模様の多数の凸の部分が弾性部材に食い込んで移動の抵抗力となるので、弾性部材の保持枠の内周側への移動が防止される。
【００１０】
本発明に係る表示パネルの保持構造は、前記移動防止部は、前記弾性部材と当接する部分に周方向に離間して設けた複数の凸部又は凹部であることを特徴とする。
本発明によれば、弾性部材と当接する保持枠の部分に周方向に離間して複数の凸部又は凹部を設けた場合に、該凸部又は凹部の端縁の角部が弾性部材に食い込んで移動の抵抗力となるので、弾性部材の保持枠の内周側への移動が防止される。
【００１１】
本発明に係る表示パネルの保持構造は、前記移動防止部は、前記弾性部材を収容することが可能な凹溝であることを特徴とする。
本発明によれば、保持枠に設けた凹溝に収容されている弾性部材は移動しようした場合に凹溝の端部に当接し、凹溝外への移動が阻止されるので、弾性部材の保持枠の内周側への移動が防止される。
【発明の効果】
【００１２】
本発明に係る表示パネルの保持構造によれば、表示パネルの前側の周縁部に当接している弾性部材が保持枠の内側へ移動することが防止されるので、表示品位の低下を回避することができる表示パネルの保持構造が提供される。
【００１３】
本発明に係る表示パネルの保持構造によれば、保持枠の内周側端縁から表示パネル側へ突出した凸部によって、弾性部材の保持枠内周側への移動を確実に阻止できる。併せて、該凸部が弾性部材を保持枠に貼り付けるときの案内部になり、弾性部材を凸部に沿わせることで貼り付けの作業性が向上する。
【００１４】
本発明に係る表示パネルの保持構造によれば、凸部を保持枠の周方向に離間して複数形成することにより、保持枠の全周に形成する場合よりも軽量化できる。
【００１５】
本発明に係る表示パネルの保持構造によれば、弾性部材と当接する保持枠の部分に設けた凹凸模様が弾性部材の移動の抵抗力となるので、弾性部材の保持枠の内周側への移動が防止される。併せて、該凹凸模様が弾性部材を保持枠に貼り付けるときの案内部になる。
【００１６】
本発明に係る表示パネルの保持構造によれば、弾性部材と当接する保持枠の部分に設けた凹部又は凸部が弾性部材の移動の抵抗力となるので、弾性部材の保持枠の内周側への移動が防止される。併せて、該凹部又は凸部が弾性部材を保持枠に貼り付けるときの案内部になる。
【００１７】
本発明に係る表示パネルの保持構造によれば、弾性部材が保持枠に設けた凹溝に収容され、凹溝外への移動が阻止されるので、保持枠の内周側への移動が防止される。併せて、該凹溝が弾性部材を保持枠に貼り付けるときの案内部になる。
【図面の簡単な説明】
【００１８】
【図１】本発明の実施の形態１に係る表示パネルの保持構造を備えた液晶表示装置の断面図である。
【図２】本発明の実施の形態２に係る表示パネルの保持構造の要部を示す斜視図及び断面図である。
【図３】本発明の実施の形態３に係る表示パネルの保持構造の要部を示す斜視図及び断面図である。
【図４】本発明の実施の形態４に係る表示パネルの保持構造の要部を示す斜視図及び断面図である。
【図５】本発明の実施の形態５に係る表示パネルの保持構造の要部を示す斜視図及び断面図である。
【図６】本発明の実施の形態６に係る表示パネルの保持構造の要部を示す斜視図及び断面図である。
【図７】本発明の実施の形態７に係る表示パネルの保持構造の要部を示す斜視図及び断面図である。
【図８】本発明の実施の形態８に係る表示パネルの保持構造の要部を示す斜視図及び断面図である。
【発明を実施するための形態】
【００１９】
以下、本発明に係る表示パネルの保持構造の実施の形態を液晶表示装置に適用した場合を例に図面に基づいて説明する。
【００２０】
実施の形態１
図１は本発明の実施の形態１に係る表示パネルの保持構造を備えた液晶表示装置の断面図である。
【００２１】
本発明に係る表示パネルの保持構造は、前側に表示面１ａを有し、横長で矩形状をなす表示パネル１の後側を支持する横長の矩形状の枠体２と、表示パネル１の前側の周縁部を弾性部材４を介して枠体２に押し付けて保持する保持枠３とを備えている。液晶表示装置は、他に、表示パネル１の後方側に配置され、表示パネル１の大きさに対応するサイズの光学シート６と、複数の照明用のランプ（不図示）及び反射シート７を内部に有し、光学シート６に向けて照明光を投射するバックライト部８と、バックライト部８の後部側に配置された回路基板９等を備えている。
【００２２】
表示パネル１の周縁部の前側を覆う額縁部１０ａを有し、環状の矩形枠をなす前キャビネット１０と、前キャビネット１０の外周端部１０ｂに連結され、後方側を覆う後キャビネット１１とが設けられ、該前キャビネット１０及び後キャビネット１１内に、前記表示パネル１、光学シート６、バックライト部８等が収容されている。
【００２３】
前記枠体２は、表示パネル１の周縁部の後側に弾性部材５を介して位置する環板部２１と、内周部で該環板部２１の外周端に連なる筒状部２２とが一体成形されている。筒状部２２の前端部には周方向に間隔を置いて、複数の取付穴２３が開設されている。弾性部材５は環板部２１に接着剤によって接着されている。
【００２４】
前記保持枠３は、表示パネル１の周縁部の前側に位置する前板部３１と、該前板部３１の外周端部から斜め後方へ屈曲した後、枠体２の筒状部２ｂの前端部に沿うように伸びた中間部３２と、該中間部３２の外周端部から直角に後方へ屈曲した側板部３３とを有し、断面形状が略Ｌ字形に形成してある。保持枠３の外周側には枠体２の各取付穴２ｃの位置に対応して貫通孔３４が開設されている。
【００２５】
雄螺子を保持枠３の貫通孔３４に挿通させて取付穴２３に捩じ込むことにより、保持枠３が枠体２に結合され、表示パネル１の後側が枠体２に支持されるとともに、表示パネル１の前側の周縁部が保持枠３によって弾性部材４を介して枠体２側に押し付けられて保持される。
【００２６】
保持枠３の前板部３１には、内周側端縁から表示パネル１側へ突出するように内周側端縁を表示パネル１側へ屈曲させた屈曲部３１ａを全周に亘って設けてある。弾性部材４は屈曲部３１ａよりも保持枠３の外周側に位置し、前板部３１に接着剤によって接着されている。仮に接着剤が劣化して弾性部材４が前板部３１から剥がれても、屈曲部３１ａによって保持枠３の内周側（表示パネル１の表示面１ａ側）への移動が阻止され、また、屈曲部３１ａは弾性部材４を前板部３１に貼り付けるときの案内部になり、弾性部材４を屈曲部３１ａに沿わせることで貼り付けの作業性が向上する。
【００２７】
前記弾性部材４，５は、例えばイノアック社製の商品名がポロン（ＰＯＲＯＮ）（イノアック社の登録商標）で厚さ１．５ｍｍ程度の高密度ウレタンフォーム（スポンジ）である。当接により弾性部材４が表示パネル１の表面に良好に追従し、防塵信頼性が向上する。
【００２８】
前キャビネット１０の額縁部１０ａの内面には、矩形環状の弾性スペーサー１２が設けてあり、保持枠３は、弾性スペーサー１２を介して前キャビネット１０の額縁部１０ａの内面に当接している。弾性スペーサー１２は、例えば前記弾性部材４，５と同様のイノアック社製の高密度ウレタンフォーム（スポンジ）である。当接により弾性スペーサー１２が保持枠３の表面に良好に追従し、防塵信頼性が向上する。
【００２９】
バックライト部８は、箱型をなすシャーシ８ａと、光学シート６の周縁部をシャーシ８ａの開口部に押し付けて保持するための取付枠８ｂとを備え、枠体２を図示しない取付手段にてシャーシ８ａに取り付けることにより、取付枠８ｂを枠体２及びシャーシ８ａの間に挟着してある。
【００３０】
実施の形態２
図２は本発明の実施の形態２に係る表示パネルの保持構造の要部を示す斜視図及び断面図である。
実施の形態２では、保持枠３の前板部３１に周方向に離間して複数の屈曲部３１ｂを形成してある点のみが実施の形態１と異なる。屈曲部３１ｂが保持枠３の全周にないので軽量化される。
【００３１】
実施の形態３
図３は本発明の実施の形態３に係る表示パネルの保持構造の要部を示す斜視図及び断面図である。
実施の形態３では、保持枠３の前板部３１に周方向に離間して複数の突出部３１ｃをハーフパンチ加工により形成してある点が実施の形態２と異なる。突出部３１ｃは保持枠３の前板部３１の一部が突出したものであるので突出部３１ｃのための重量増加がなく、また、屈曲に比べて加工も容易となる。
【００３２】
実施の形態４
図４は本発明の実施の形態４に係る表示パネルの保持構造の要部を示す斜視図及び断面図である。
実施の形態４では、保持枠３の前板部３１に周方向に離間して複数の直線状の突出部３１ｄがハーフパンチ加工により形成してある点が実施の形態３と異なる。直線状の突出部３１ｄは弾性部材４を前板部３１に貼り付けるときの案内部になる。
【００３３】
実施の形態５
図５は本発明の実施の形態５に係る表示パネルの保持構造の要部を示す斜視図及び断面図である。
実施の形態５では、保持枠３の前板部３１の弾性部材４と当接する面にローレット状の凹凸模様３１ｅを周方向に沿うように形成してある点のみが実施の形態１〜４と異なる。実施の形態５では、凹凸模様３１ｅの多数の凸の部分が弾性部材４に食い込んで移動の抵抗力となり、弾性部材４の保持枠４の内周側への移動が防止される。また、凹凸模様３１ｅは弾性部材４を前板部３１に貼り付けるときの案内部になる。
【００３４】
実施の形態６
図６は本発明の実施の形態６に係る表示パネルの保持構造の要部を示す斜視図及び断面図である。
実施の形態６では、保持枠３の前板部３１の弾性部材４と当接する面に周方向に離間して複数の凸部３１ｆを形成してある点が実施の形態５と異なる。実施の形態６では、各凸部３１ｆが弾性部材４に食い込んで移動の抵抗力となり、弾性部材４の保持枠４の内周側への移動が防止される。複数の凸部３１ｆは弾性部材４を前板部３１に貼り付けるときの案内部になる。
【００３５】
実施の形態７
図７は本発明の実施の形態７に係る表示パネルの保持構造の要部を示す斜視図及び断面図である。
実施の形態７では、保持枠３の前板部３１の弾性部材４と当接する面に周方向に離間して複数の凹部３１ｇを形成してある点で実施の形態６と異なる。実施の形態７では、各凹部３１ｇの端部の角が弾性部材４に食い込んで移動の抵抗力となり、弾性部材４の保持枠４の内周側への移動が防止される。複数の凹部３１ｇは弾性部材４を前板部３１に貼り付けるときの案内部になる。
【００３６】
実施の形態８
図８は本発明の実施の形態８に係る表示パネルの保持構造の要部を示す斜視図及び断面図である。
実施の形態８では、保持枠３の前板部３１の弾性部材４と当接する面に弾性部材４を収容する凹溝３１ｈを形成してある点で実施の形態５〜７と異なる。実施の形態８では、弾性部材４が移動した場合に凹溝３１ｈの端部に当接して凹溝外への移動が阻止され、保持枠４の内周側への移動が防止される。凹溝３１ｈは弾性部材４を前板部３１に貼り付けるときの案内部になる。
【００３７】
前述の実施の形態１〜８では、本発明に係る表示パネルの支持構造を液晶表示装置の表示パネルを支持する構造に適用したが、液晶表示装置以外のプラズマディスプレイ等の表示装置の表示パネルを支持する構造に適用できる。
【符号の説明】
【００３８】
１        表示パネル
１ａ      表示面
２        枠体（支持部）
３        保持枠
３１ａ    屈曲部（凸部、移動防止部）
３１ｂ    屈曲部（凸部、移動防止部）
３１ｃ    突出部（凸部、移動防止部）
３１ｄ    突出部（凸部、移動防止部）
３１ｅ    凹凸模様（移動防止部）
３１ｆ    凸部（移動防止部）
３１ｇ    凹部（移動防止部）
３１ｈ    凹溝（移動防止部）
４        弾性部材
【図１】
2011002708.tif 000003
【図２】
2011002708.tif 000004
【図３】
2011002708.tif 000005
【図４】
2011002708.tif 000006
【図５】
2011002708.tif 000007
【図６】
2011002708.tif 000008
【図７】
2011002708.tif 000009
【図８】
2011002708.tif 000010